(57)【特許請求の範囲】
【請求項１】
目地部を介して設けられた左右の床躯体に取り付けられた複数の支持バーと、該複数の支持バーの上面に取り付けられた支承プレートと、先端部が該支承プレートに支持されるとともに、後端部が床躯体に枢支ピンによって回動可能に支持される目地プレートと、前記支承プレートの上部に目地プレートがスライド移動する空間を隔てて設けられたカバープレートとで構成され、前記支持バーは、左右の床躯体のいずれか一方に後端部が取付けられ、先端部の上部内壁にローラーを有する複数個の筒状の支持アームと、該筒状の支持アームにローラーを有する先端部が挿入され、前記支持アームが取り付けられた前記いずれか一方の床躯体と対向する他方の床躯体に後端部が取り付けられた複数個の挿入支持アームとからなり、一端部が前記床躯体の前後方向にスライド可能で、かつ、両端部が上下方向に回動可能に取り付けられていることを特徴とする床用目地装置。
【請求項２】
目地部を介して設けられた左右の床躯体に取り付けられた複数の支持バーと、該複数の支持バーの上面に取り付けられた支承プレートと、両端部が該支承プレートに支持されるとともに、中央維持装置により目地部の中央に位置するように設けられている目地プレートと、前記支承プレートの上部に目地プレートがスライド移動する空間を隔てて設けられたカバープレートとで構成され、前記支持バーは、左右の床躯体のいずれか一方に後端部が取付けられ、先端部の上部内壁にローラーを有する複数個の筒状の支持アームと、該筒状の支持アームにローラーを有する先端部が挿入され、前記支持アームが取り付けられた前記いずれか一方の床躯体と対向する他方の床躯体に後端部が取り付けられた複数個の挿入支持アームとからなり、一端部が前記床躯体の前後方向にスライド可能で、かつ、両端部が上下方向に回動可能に取り付けられており、隣り合う支持バーが左右逆向きになるように左右の床躯体に取り付けられ、前記中央維持装置は隣り合う支持アームの側面にヒンジを介して取り付けられていることを特徴とする床用目地装置。
【請求項３】
前記支承プレートの上面には、前記カバープレートにかかる荷重を支える支承コロが設けられていることを特徴とする請求項１又は請求項２記載の床用目地装置。
【発明の詳細な説明】
【技術分野】
【０００１】
本発明は目地部を介して設けられた左右の床躯体の間の目地部を塞ぐ床用目地装置に関する。
【背景技術】
【０００２】
従来、この種の床用目地装置は一方又は両方の床躯体に形成された凹部と、該凹部をスライド移動可能に設けられた目地プレートと、該目地プレートの両端部を覆うカバープレートとで構成されたものが知られている。（特許文献１参照）。
【０００３】
しかしながら、このような床用目地装置は、地震で左右の床躯体が不等沈下してしまうと、目地プレートとカバープレートや床躯体が衝突し、破損してしまうという欠点があった。
【先行技術文献】
【特許文献】
【０００４】
【特許文献１】特許第３４４５２０８号公報
【発明の概要】
【発明が解決しようとする課題】
【０００５】
本発明は以上のような従来の欠点に鑑み、地震で左右の床躯体が不等沈下しても、目地プレート、カバープレート、床躯体等が破損することなく揺れ動きを吸収することができる床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた左右の床躯体に取り付けられた複数の支持バーと、該複数の支持バーの上面に取り付けられた支承プレートと、先端部が該支承プレートに支持されるとともに、後端部が床躯体に枢支ピンによって回動可能に支持される目地プレートと、前記支承プレートの上部に目地プレートがスライド移動する空間を隔てて設けられたカバープレートとで構成され、前記支持バーは、左右の床躯体のいずれか一方に後端部が取付けられ、先端部の上部内壁にローラーを有する複数個の筒状の支持アームと、該筒状の支持アームにローラーを有する先端部が挿入され、前記支持アームが取り付けられた前記いずれか一方の床躯体と対向する他方の床躯体に後端部が取り付けられた複数個の挿入支持アームとからなり、一端部が前記床躯体の前後方向にスライド可能で、かつ、両端部が上下方向に回動可能に取り付けられていることを特徴とする。
【発明の効果】
【０００８】
以上の説明から明らかなように、本発明にあっては次に列挙する効果が得られる。
（１）請求項１の発明においては、支持バーの両端が上下方向に回動可能に取り付けられ地震で左右の床躯体が不等沈下しても、目地プレート、カバープレート、床躯体等が破損することなく揺れ動きを吸収することができる。
（２）支持バーの一端がスライド移動可能に取り付けられているので、床躯体が前後方向に揺れ動いても、破損することなく揺れ動きを吸収することができる。
（３）請求項２も前記（１）、（２）と同様な効果が得られるとともに、カバープレートにかかる荷重を支え、カバープレートのたわみを防止することができる。
（４）請求項３も前記（１）〜（３）と同様な効果が得られる。
（５）請求項４も前記（１）〜（３）と同様な効果が得られる。
【図面の簡単な説明】
【０００９】
【図１】本発明を実施するための第１の形態の平面図。
【図２】図１の２−２線に沿う断面図。
【図３】図１の３−３線に沿う断面図。
【図４】本発明を実施するための第１の形態の筒状の支持アームの説明図。
【図５】本発明を実施するための第１の形態の挿入支持アームの説明図。
【図６】本発明を実施するための第１の形態の支承プレートを取り付けた支承バーの説明図。
【図７】本発明を実施するための第１の形態の地震で目地部が狭くなった動作説明図。
【図８】本発明を実施するための第１の形態の地震で目地部が広くなった動作説明図。
【図９】本発明を実施するための第１の形態の異なる前後方向に揺れ動いた状態の動作説明図。
【図１０】本発明を実施するための第１の形態の不等沈下した場合の動作説明図。
【図１１】本発明を実施するための第２の形態の平面図。
【図１２】図１１の１２−１２線に沿う断面図。
【図１３】図１１の１３−１３線に沿う断面図。
【図１４】本発明を実施するための第２の形態の支承プレートを取り付けた支承バーの説明図。
【図１５】本発明を実施するための第２の形態の地震で目地部が狭くなった動作説明図。
【図１６】本発明を実施するための第２の形態の地震で目地部が広くなった動作説明図。
【図１７】本発明を実施するための第２の形態の異なる前後方向に揺れ動いた状態の動作説明図。
【図１８】本発明を実施するための第２の形態の不等沈下した場合の動作説明図。
【発明を実施するための形態】
【００１０】
以下、図面に示す本発明を実施するための形態により、本発明を詳細に説明する。
図１ないし図１０に示す本発明を実施するための第１の形態において、１は目地部２を介して設けられた左右の床躯体３、３の間の目地部２を塞ぐ床用目地装置で、この床用目地装置１は、左右の床躯体３、３に取り付けられた複数の支持バー４と、該複数の支持バー４の上面に取り付けられた支承プレート５と、該支承プレート５に支持された目地プレート６と、前記支承プレート５の上部に目地プレート６がスライド移動する空間７を隔てて設けられたカバープレート８と、目地プレート６がスライド移動する空間７に設置され、前記カバープレート８にかかる荷重を支える支承コロ９とで構成されている。
【００１１】
前記支持バー４は、一方の床躯体３に後端部１０ａが取付けられ、先端部１０ｂの上部内壁にローラー１１を有する複数個の筒状の支持アーム１０と、該筒状の支持アーム１０に底部にローラー１２を有する先端部１３ａが挿入され、前記支持アームが取り付けられた床躯体３と対向する床躯体３に後端部１３ｂが取り付けられた複数個の挿入支持アーム１３とから構成されている。
【００１２】
前記支持アーム１０は、四角筒状の支持アーム本体１４と、この支持アーム本体１４の後端上部に外方へ突出するように形成された取付部１５と、この取付部１５に固定されたあるいは枢支ピン１６で枢支されたアングル状のブラケット１７と、前記支持アーム本体１４の先端部の上部内壁に取付けられたローラー１１とで構成されている。なお、支持アーム１０の先端部は、前記ブラケット１７に下部ローラー１８を備えたバー状のスライド部材１９が固定され、一方の床躯体３の外壁に設けられたスライドレール２０に、前後方向にスライド可能な状態で取り付けられている。
【００１３】
前記挿入支持アーム１３は、前記複数個の筒状の支持アーム１０内にそれぞれスライド移動可能に挿入される板状あるいは筒状の挿入支持アーム本体２１と、この挿入支持アーム本体２１の先端下部に取付けられた下部ローラ１２と、前記挿入支持アーム本体２１の後端上部に外方へ突出するように形成された取付部２２と、この取付部２２に枢支ピン２３で枢支される支持片２４を有するブラケット２５とで構成されている。
【００１４】
このように、本実施の形態において、支持バー４は一端部がスライド部材１９を介して一方の床躯体に対して前後方向にスライド可能で、両端部が枢支ピンを介してブラケットで床躯体やスライド部材に取り付けられているので、上下方向に回動可能な状態となる。
前記支承プレート５は、前記複数個の筒状の支持アーム１０の上部側壁に固定された複数個のアングル状の取付部材２６にビス２７で固定されている。
【００１５】
前記目地プレート６は、平面視長方形状で金属材製の目地プレート本体２８と、この目地プレート本体２８の後端両側部に設けられ、他方の床躯体３に設けられた枢支ピン２９が挿入されるピンボックス３０と、目地プレート本体２８内へ充填されたモルタルあるいはコンクリート３１と、このモルタルあるいはコンクリート３１の上面に貼り付けられた大理石等のタイルやレンガ等の床化粧板３２と、目地プレート本体２８の先端部付近の底面に設けられたローラー３３とで構成される。なお、目地プレート６は、後端部が枢支ピン２９により他方の床躯体に回動可能に支持され、先端部が支承プレート５に支持された状態となっている。
【００１６】
前記カバープレート８は、前記支承プレート５との間に目地プレート６がスライド移動する空間７を確保するため、支承プレート５にスペーサー３４を介して固定されている。
前記支承コロ９は、軸状の支持体３５と、この支持体３５に所定間隔で取付けられた支承ローラー３６を備え三角形状の支承コロ本体３７と、該支承コロ本体を前記空間７内の所定の位置に位置させる位置調節機構３８とで構成されている。なお、本実施の形態において、位置調節機構３８はコイルスプリングが用いられている。
【００１７】
地震で目地部２が狭くなるように左右の床躯体３が揺れ動くと、図７に示すように、目地プレート６が空間７内をスライド移動するとともに、支承コロ９も位置調節機構３８により目地プレート６や床躯体３等に衝突しないように移動し揺れ動きを吸収する。
地震で目地部２が広くなるように左右の床躯体３が揺れ動くと、図８に示すように、目地プレート６が空間７内をスライド移動し揺れ動きを吸収する。支承コロ９も位置調節機構３８により空間７内を移動し、カバープレート８がたわまないようにカバープレート８にかかる荷重を支持する。
【００１８】
地震で左右の床躯体３が異なる前後方向に揺れ動くと、図９に示すように、支持バー４に固定されたスライド部材１９がスライドレール２０を前後方向にスライド移動し、揺れ動きを吸収する。
【００１９】
地震で左右の床躯体３の他方の床躯体が不等沈下すると、図１０に示すように、支持アーム１０は枢支ピン１６を回動軸として下方向に回動するとともに、挿入支持アーム１３も枢支ピン２３を回動軸として上方向に回動し、目地プレート６も枢支ピン２９を支点に先端部が上方向へ持ち上げられ、支承プレート、目地プレートおよびカバープレートが略平行の状態となって、これらが破損することを防止することができる。なお、一方の床躯体３が不等沈下した場合には、支持アーム１０は枢支ピン１６を回動軸として上方向に回動するとともに、挿入支持アーム１３も枢支ピン２３を回動軸として下方向に回動し、目地プレート６も枢支ピン２９を支点に先端部が下方向に回動する。
【００２０】
[発明を実施するための異なる形態]
次に、図１１ないし図１８に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２１】
図１１ないし図１８に示す本発明を実施するための第２の形態において、前記本発明を実施するための第１の形態と主に異なる点は、支持バー４を互い違いに左右の床躯体３に取り付け、該支持バー４の両側に支承プレート５およびカバープレート８を取り付けて目地プレート６Ａの両端を前記支承プレート５で支持するとともに、隣り合う２本の支持アーム１０の側面にヒンジを介してリンク状の中央維持装置３９を取付け、該中央維持装置３９の中央の枢支部４０に固定された支持筒４１に挿入された支持軸４２を目地プレート６Ａに固定し、目地プレートが目地部の中央に位置するように設けた点で、このような構成の床用目地装置１Ａにしても前記本発明を実施するための第１の形態と同様な作用効果が得られる。
【産業上の利用可能性】
【００２２】
本発明は床用目地装置を製造する産業で利用される。
【符号の説明】
【００２３】
１、１Ａ：床用目地装置、          ２：目地部、
３：床躯体、                      ４：支持バー、
５：支承プレート、                ６、６Ａ：目地プレート、
７：空間、                        ８：カバープレート、
９：支承コロ、                    １０：支持アーム、
１１：ローラー、                  １２：ローラー、
１３：挿入支持アーム、            １４：支持アーム本体、
１５：取付部、                    １６：枢支ピン、
１７：ブラケット、                １８：下部ローラー、
１９：スライド部材、              ２０：スライドレール、
２１：挿入支持アーム本体、        ２２：取付部、
２３：枢支ピン、                  ２４：支持片、
２５：ブラケット、                ２６：取付部材、
２７：ビス、                      ２８：目地プレート本体、
２９：枢支ピン、                  ３０：ピンボックス、
３１：モルタルあるいはコンクリート、
３２：床化粧板、                  ３３：ローラー、
３４：スペーサー、                ３５：支持体、
３６：支承ローラー、              ３７：支承コロ本体、
３８：位置調節機構、              ３９：中央維持装置、
４０：枢支部、                    ４１：支持筒、
４２：支持軸。
【図１】
0005990608.tif 000002
【図２】
0005990608.tif 000003
【図３】
0005990608.tif 000004
【図４】
0005990608.tif 000005
【図５】
0005990608.tif 000006
【図６】
0005990608.tif 000007
【図７】
0005990608.tif 000008
【図８】
0005990608.tif 000009
【図９】
0005990608.tif 000010
【図１０】
0005990608.tif 000011
【図１１】
0005990608.tif 000012
【図１２】
0005990608.tif 000013
【図１３】
0005990608.tif 000014
【図１４】
0005990608.tif 000015
【図１５】
0005990608.tif 000016
【図１６】
0005990608.tif 000017
【図１７】
0005990608.tif 000018
【図１８】
0005990608.tif 000019